(57)【要約】      （修正有）【課題】出力特性の調整を簡単に行うことができるようにして、経年変化に対する再調整や、測定範囲の変更を容易に実施できるようにした水位センサを提供する。【解決手段】水中に配置されるセンサ本体を有する水位センサであって、センサ本体は、水圧に応じて電圧に関するアナログ信号を出力する半導体圧力センサ素子（圧力センサ部）４４と、センサ素子４４からのアナログ信号をデジタル信号へ変換するＡ／Ｄ変換部６１と、このデジタル信号を予め設定された出力特性に基づいて調整する調整部６３と、を備え、センサ本体の外部から調整部６３に接続され、出力特性を変更するための書き込み用ケーブル２１ｃが設けられる。【選択図】図３
2014077646.tif 000002
【特許請求の範囲】
【請求項１】
水中に配置されるセンサ本体を有する水位センサであって、
前記センサ本体は、水圧に応じて電圧に関するアナログ信号を出力する圧力センサ部と、前記圧力センサ部からのアナログ信号をデジタル信号へ変換するＡ／Ｄ変換部と、前記デジタル信号を予め設定された出力特性に基づいて調整する調整部と、を備え、
前記センサ本体の外部から前記調整部に接続され、前記出力特性を変更するための書き込み用ケーブルが設けられることを特徴とする水位センサ。
【請求項２】
前記センサ本体は、前記調整部において調整されたデジタル信号をアナログ信号へ変換して出力するＤ／Ａ変換部を備えることを特徴とする請求項１記載の水位センサ。
【請求項３】
前記圧力センサ部は、半導体基板に形成されたピエゾ抵抗によりブリッジ回路を構成した半導体圧力センサ素子が用いられることを特徴とする請求項１または請求項２記載の圧力センサ。
【請求項４】
前記出力特性としては、圧力ゼロ時の出力に関するオフセット及び単位圧力あたりの出力に関するスパンのうち、少なくとも一方であることを特徴とする請求項１〜請求項３のいずれか一項に記載の水位センサ。
【請求項５】
前記出力特性としては、圧力と出力との関係が直線性を維持するように補正されたものである請求項１〜請求項４のいずれか一項に記載の水位センサ。
【請求項６】
前記調整部は、前記圧力センサ部から温度変化に対応したデジタル信号が別途入力され、前記出力特性は、温度変化に応じて補正されることを特徴とする請求項１〜請求項５のいずれか一項に記載の水位センサ。
【請求項７】
前記調整部から前記センサ本体の外部に引き出され、前記調整部からデジタル信号を取り出すための読み出し用ケーブルが設けられることを特徴とする請求項１〜請求項６のいずれか一項に記載の水位センサ。
【発明の詳細な説明】
【技術分野】
【０００１】
本発明は、水中に配置されて使用される水位センサに関する。
【背景技術】
【０００２】
水位センサとしては、例えば水中に沈めて水位を検出する投げ込み式の水位センサが知られている。この水位センサは、センサ本体の内部に、水圧に応じた電気信号を出力する圧力センサと、この圧力センサからの信号を処理して外部に出力するアナログ回路系とを備えている。そして、水圧の増減に伴って、予め設定された出力特性（圧力ゼロ時の出力値や、単位圧力あたりの出力値など）に基づいた出力値を水位センサから出力することにより水位の計測を可能としている（例えば、特許文献１参照）。なお、水位センサの出力特性は、アナログ回路系に設けられたボリューム等を回して行われ、調整後は水位センサの本体内に収容されるため、外部からは容易に操作できない状態となっている。
【先行技術文献】
【特許文献】
【０００３】
【特許文献１】特開２０１２−１１２９２４号公報
【発明の概要】
【発明が解決しようとする課題】
【０００４】
しかしながら、この水位センサは、圧力センサやアナログ回路系が時間の経過や温度変化によって劣化もしくは変質し、出力値を変動させる場合がある。このような出力値の変動は、その変動幅が予測できないことから水位センサの再調整が必要となる。この場合、水位センサを一旦水中から取り出し、センサ本体を分解してアナログ回路系のボリュームを回して初期の出力特性となるように手作業で再調整し、再びセンサ本体をシールするといった作業が必要となるため、作業者にとって面倒であり、また時間がかかる作業となっていた。また、測定範囲が水位０〜１０ｍに初期調整された水位センサを水位０〜８ｍを測定範囲とする水位センサに変更して用いる場合においても、上記と同様にセンサ本体を分解してボリュームを回して調整した後に再度センサ本体をシールする必要があり、作業者にとって手間が掛かるものであった。
【０００５】
以上のような事情に鑑み、本発明では、出力特性の調整を簡単に行うことができるようにして、経年変化に対する再調整や、測定範囲の変更を容易に実施できるようにした水位センサを提供することを目的とする。
【課題を解決するための手段】
【０００６】
上記課題を解決するため、本発明は以下のような手段を採用する。水中に配置されるセンサ本体を有する水位センサであって、センサ本体は、水圧に応じて電圧に関するアナログ信号を出力する圧力センサ部と、圧力センサ部からのアナログ信号をデジタル信号へ変換するＡ／Ｄ変換部と、このデジタル信号を予め設定された出力特性に基づいて調整する調整部と、を備え、センサ本体の外部から調整部に接続され、出力特性を変更するための書き込み用ケーブルが設けられる。
【０００７】
また、センサ本体は、調整部において調整されたデジタル信号をアナログ信号へ変換して出力するＤ／Ａ変換部を備えてもよい。また、圧力センサ部は、半導体基板に形成されたピエゾ抵抗によりブリッジ回路を構成した半導体圧力センサ素子が用いられてもよい。また、出力特性としては、圧力ゼロ時の出力に関するオフセット及び単位圧力あたりの出力に関するスパンのうち、少なくとも一方であってもよい。また、出力特性としては、圧力と出力との関係が直線性を維持するように補正されたものであってもよい。また、調整部は、圧力センサ部から温度変化に対応したデジタル信号が別途入力され、出力特性は、温度変化に応じて補正されるものであってもよい。また、調整部からセンサ本体の外部に引き出され、調整部からデジタル信号を取り出すための読み出し用ケーブルが設けられてもよい。
【発明の効果】
【０００８】
本発明によれば、水位センサの出力特性の調整を簡単に行うことが可能となるので、長期の使用によって出力特性が変動した場合の再調整や、測定範囲の変更調整が容易となり、作業時間の短縮化を図るとともに、作業者の負担を軽減することができる。
【図面の簡単な説明】
【０００９】
【図１】本発明に係る水位センサの使用状態を示す説明図である。
【図２】本発明に係る水位センサの実施形態を示す断面図である。
【図３】水位センサに用いられる回路構成の一例を示すブロック図である。
【図４】水位センサの出力特性の調整例を示すグラフ図である。
【図５】水位センサの出力特性の調整例を示すグラフ図である。
【図６】水位センサの出力特性の調整例を示すグラフ図である。
【発明を実施するための形態】
【００１０】
以下、本発明の実施形態について図面を参照しながら説明する。ただし、本発明は以下に説明する内容に限定されるものではない。  
図１に示すように、水位検出システム１００は、水中に沈められた状態で水位を検出する投げ込み式の水位センサ１０１と、ケーブル２０を介して水位センサ１０１と電気的に接続され、この水位センサ１０１からの出力を処理して水位を計測、表示する受信装置１０２とを備えている。
【００１１】
水位センサ１０１は、図１に示すように、例えば井戸やボーリング孔などに溜まった貯留水１０３内に吊り下げ状態で配置されている。なお、水位センサ１０１の配置として図１に示す吊り下げ状態に限定されず、例えば水底に寝かせた状態で配置してもよい。また、井戸等への使用の他に、河川、池、湖の他に、プールや貯水槽、貯水タンクなどへの使用も可能である。また、水位センサ１０１は、水の流れによって移動しないように、水底に設置したアンカーに固定されてもよく、水位センサ１０１に設けられた重りによって所定位置に保持されてもよい。
【００１２】
この水位センサ１０１は、配置された位置から上方の水位を検出するものであり、センサごとに個別の検出範囲を有している。例えば、水位０〜１０ｍスパンに設定された水位センサ１０１は、水位０ｍ（大気中であって水圧が０の状態）を最小値とし、水位１０ｍに相当する水圧を検知した場合を最大値として、水位０〜１０ｍの検出範囲に設定されている。受信装置１０２は、水位センサ１０１の検出結果（アナログ信号）に基づいて水位を計測、表示する。なお、受信装置１０２は、水位センサ１０１に対してデジタル信号を送受信する機能を備えてもよい。デジタル信号の送受信には、例えば、パーソナルコンピュータなどの情報処理装置や、ディスプレイなどの出力装置、キーボードなどの入力装置などが用いられる。
【００１３】
図２に示すように、水位センサ１０１は、水中に配置されるセンサ本体１０と、センサ本体１０と受信装置１０２との間を電気的に接続するケーブル２０とを備える。
センサ本体１０は、水圧を検出する検出機構を収容するケース１１を有している。ケース１１は、例えばステンレスなどの耐圧性及び耐腐食性の高い材料を用いて円筒状に形成されている。ケース１１の外周面には、例えば水位センサ１０１のシリアル番号などの情報が刻印される。また、ケース１１の他端側（ケーブル２０側）には、ポリオレフィン等で形成された収縮チューブ１７がケーブル２０を貫通した状態で取り付けられている。
【００１４】
ケース１１の先端側にはキャップ１３が取り付けられている。キャップ１３は、例えばステンレスや樹脂などの耐圧性及び耐腐食性が高い材料を用いて中空状に形成されており、先端１３ａの中央部分から側面へと続くテーパー部１３ｂが形成されている。なお、キャップ１３は、ケース１１の先端部分にはめ込んだ状態で固定されており、取り外し可能となっている。また、キャップ１３の側面には、外部とキャップ１３の内部とを連通する連通孔１３ｃが複数設けられている。
【００１５】
連通孔１３ｃは、キャップ１３側面の一周にわたって、所定の間隔を空けて形成されており、図示のものでは一定間隔で４か所に形成されている。従って、貯留水１０３（図１参照）は、この連通孔１３ｃを介してキャップ１３の内部に入り込んだ状態となっており、キャップ１３の内外において圧力（水圧）が等しくなるようにしている。なお、連通孔１３ｃの形状や個数、配置は、図示のものに限定されず、キャップ１３の内部に水が入り込むような任意のものを適用することができる。また、連通孔１３ｃには、貯留水１０３に含まれる固形物等の異物が内部に入らないように、フィルターが設けられてもよい。
【００１６】
ケース１１の内部には、感圧部１４と、感圧部１４からの信号を処理するアンプ基板１５及びマイコン基板１６とが収容されている。感圧部１４は、エレメント４１と、ダイヤフラム４２と、シリコーンオイル４３と、圧力センサ部としての半導体圧力センサ素子４４とを有している。
【００１７】
エレメント４１は、ステンレスなどの耐腐食性の高い材料によって円盤状に形成されており、その外周面がケース１１の内周面１１ａに接した状態で固定される。エレメント４１の外周面とケース１１の内周面１１ａとの間にはＯリング４７が配置され、両者間をシールしている。このエレメント４１によって、ケース１１の内部空間を先端側とケーブル２０側とに遮断している。また、エレメント４１は、先端側に突出した環状の突出部４１ａと、半導体圧力センサ素子４４が設置される凹部４１ｂと、凹部４１ｂの位置でエレメント４１を貫通する大気解放孔４１ｃと、リードピン４６が貫通した状態で配置される貫通孔４１ｄとを有する。なお、貫通孔４１ｄとリードピン４６との隙間にはシール材が充填されている。
【００１８】
ダイヤフラム４２は、例えばステンレスなどの変形可能な金属材料によって円盤状に形成されている。ダイヤフラム４２の先端側の縁部は、一周にわたってリング９が溶接されている。これらリング９及びダイヤフラム４２の縁部は、ケース１１の内周面１１ａから内方へ突出した環状突起１１ｂと、エレメント４１から先端側へ突出した環状の突出部４１ａとで挟み込まれており、これによりダイヤフラム４２は保持される。このダイヤフラム４２及びエレメント４１によって、ケース１１の内部空間は、ダイヤフラム４２よりも先端側（キャップ１３側）の第一空間Ｋ１と、ダイヤフラム４２とエレメント４１との間の第二空間Ｋ２と、エレメント４１のケーブル２０側の第三空間Ｋ３とに仕切られている。
【００１９】
第一空間Ｋ１は、キャップ１３の連通孔１３ｃを介して水が入り込む空間である。従って、ダイヤフラム４２は、第一空間Ｋ１に入り込んだ水の圧力に応じて第二空間Ｋ２側へたわむように変形する。すなわち、第一空間Ｋ１と第二空間Ｋ２との圧力差に応じた量だけ変形する。
【００２０】
第二空間Ｋ２（ダイヤフラム４２とエレメント４１との間）には、シリコーンオイル４３が封入されている。このシリコーンオイル４３は、非圧縮性の液体であり、ダイヤフラム４２の変形による圧力変化をそのまま他の部分に伝達する。なお、エレメント４１の貫通口４１ｄはリードピン４６との隙間がシール材で塞がれており、また、大気解放孔４１ｃは後述する半導体圧力センサ素子４４によって閉塞されている。従って、シリコーンオイル４３は第三空間Ｋ３へ漏出することはない。なお、このシリコーンオイル４３は、半導体圧力センサ素子４４を被覆して保護している。
【００２１】
半導体圧力センサ素子４４は、シリコンなどの半導体基板に形成されたピエゾ抵抗（ゲージ抵抗）によってブリッジ回路４８（図３参照）を構成している。ピエゾ抵抗は、半導体基板に対して拡散法やイオン打ち込み法などによって形成され、これに応力が加えられると、当該応力によって結晶格子に歪みが生じて電気抵抗率が変化するものである。なお、この半導体圧力センサ素子４４は、以下の説明でセンサ素子４４と簡略して呼ぶ。
【００２２】
センサ素子４４は、エレメント４１の凹部４１ｂに固着されている。センサ素子４４は、その裏面側（固着面側）の中央部分がエッチング等によってされて薄くなったダイヤフラム構造を有している。なお、このダイヤフラム構造部分に上記したブリッジ回路４８が形成されている。また、センサ素子４４の裏面空間（凹み部分内）は、大気解放孔４１ｃを介して第三空間Ｋ３と連通している。なお、第三空間Ｋ３は、後述する大気解放パイプ２３によって大気圧となっている。
【００２３】
従って、ダイヤフラム４２が例えば第二空間Ｋ２へ膨らむように変形すると、シリコーンオイル４３によってセンサ素子４４のダイヤフラム構造も圧力を受け、第三空間Ｋ３へ向けて変形する。センサ素子４４には、変形量に応じた応力が発生しており、この応力に比例してピエゾ抵抗の電気抵抗率が変化する。また、センサ素子４４は、ボンディングワイヤー４５を介してリードピン４６に電気的に接続されている。
【００２４】
アンプ基板１５は、エレメント４１から突出したリードピン４６に保持された状態で第三空間Ｋ３内に配置されている。また、アンプ基板１５は、リードピン４６及びボンディングワイヤー４５を介してセンサ素子４４と電気的に接続される。アンプ基板１５は、センサ素子４４から出力される微弱な信号を増幅して出力する。また、第三空間Ｋ３内には、マイコン基板１６が配置されており、複数の配線を介してアンプ基板１５と電気的に接続されている。なお、アンプ基板１５とマイコン基板１６の間をケーブル等の配線で接続することに代えて、ソケット等の差し込み形式で両者間を接続してもよい。
【００２５】
マイコン基板１６は、マイクロコンピュータの機能を有しており、センサ素子４４からの信号がアンプ基板１５により増幅された状態で入力され、所定の処理を行う。また、マイコン基板１６は、ケーブル２０と接続されており、処理結果をケーブル２０へ出力する。なお、ケーブル２０は、ケース１１の内周面１１ａに固定された縮径部１２と、ケース１１の端部に取り付けられた収縮チューブ１７とを貫通して配置されている。このケーブル２０は、マイコン基板１６に電気的に接続された複数の配線２１（２１ａ〜２１ｄ）と、ケース１１内の第三空間Ｋ３とケース１１の外部とを連通する大気解放パイプ２３とを有しており、これらをケーブルカバー２２によって被覆している。なお、ケーブルカバー２２と縮径部１２との間は、シール材１８によって封止されている。
【００２６】
図３に示すように、センサ素子４４に設けられるピエゾ抵抗によってブリッジ回路４８が構成されている。ブリッジ回路４８は、それぞれ電圧源ＶＣＣと接地点ＧＮＤとに接続されている。この構成では、ブリッジ回路４８が定電圧で駆動され、ピエゾ抵抗の電気抵抗率の変化がブリッジ回路４８の点Ｐと点Ｑとの間の電圧の変化としてアナログ信号で出力される。ブリッジ回路４８から出力されたアナログ信号は、図２に示すように、ボンディングワイヤー４５及びリードピン４６を介してアンプ基板１５に伝送される。
【００２７】
アンプ基板１５は、図３に示すように、アナログ信号を増幅する増幅回路等のアンプ５１を有するとともに、センサ素子４４のブリッジ回路４８において生じた差電圧（Ｐ点−Ｑ点）を、アンプ５１によって所定の増幅率で増幅した後にマイコン基板１６へ出力する。なお、この差電圧は、電圧に関するアナログ信号である。
【００２８】
マイコン基板１６は、図３に示すように、アンプ基板１５から出力されたアナログ信号をデジタル信号へ変換するＡ／Ｄ変換部６１と、変換されたデジタル信号を予め設定された出力特性に基づいて調整する調整部６３と、調整部６３において調整されたデジタル信号をアナログ信号へ変換するＤ／Ａ変換部６４と、変換されたアナログ信号を電流値に変換して出力する電流変換回路６５と、マイコン基板１６の各回路やアンプ５１、ブリッジ回路４８へ所定の電圧を供給する電源回路６６とを有している。電流変換回路６５は、電源用ケーブル２１ａを介して接続端子３１が表示装置１０２等に備える電源部に接続されるとともに、出力用ケーブル２１ｂを介して出力端子３２が表示装置１０２のデータ入力部に接続されている。
【００２９】
投げ込み式の水位センサ１０１の場合、センサ本体１０が水中に配置されるためケーブル２０の長さが数ｍ〜数百ｍ程度になる場合がある。従って、センサ本体１０からの出力として電圧信号を用いると、ケーブル２０の長さに起因する電圧降下やノイズによって不都合が生じるため、電流変換回路６５によってセンサ本体１０からの出力信号を電流値としている。ただし、これに限定されるものではなく、センサ本体１０からの出力信号として電圧値を用いてもよい。この場合、電流変換回路６５は不要となる。また、電流変換回路６５から出力される電流値の範囲は、一般に４ｍＡ〜２０ｍＡに設定されており、受信装置１０２の多くの機種で対応可能な範囲である。
【００３０】
また、マイコン基板１６には、調整部６３に対してデジタル信号の入出力を行う送受信回路６７を有している。送受信回路６７は、書き込み用ケーブル２１ｃを介してデータ入力端子３３がパーソナルコンピュータ（表示装置１０２）等の出力端子に接続されるとともに、読み出し用ケーブル２１ｄを介してデータ出力端子３４がパーソナルコンピュータ（表示装置１０２）等の入力端子に接続されている。
【００３１】
調整部６３は、統括的な情報処理を行うＣＰＵ等の制御装置６３ａや、各種プログラムやデータを記憶するフラッシュメモリ、ＥＥＰＲＯＭ、及びＲＡＭ等の記憶装置６３ｂの他に、発振回路などを備えている。記憶装置６３ｂには、Ａ／Ｄ変換部６１から送られたデジタル信号を所定の値に調整するための出力特性に関するデータが記憶されている。従って、Ａ／Ｄ変換部６１から送られたデジタル信号は、制御装置６２ａによって、予め記憶装置６３ｂに格納された出力特性となるように調整され、その調整値がＤ／Ａ変換部６４へ出力される。
【００３２】
なお、この水位センサ１０１は、出荷前にそれぞれ出力特性がチェックされ、正確な値が出力されるように出力特性に関する初期のデータが記憶装置６３ｂに格納されている。そのチェック工程を説明すると、先ず、予め圧力が規定された圧力室内に水位センサ１０１を配置させ、その時に出力用ケーブル２１ｂを介して出力された信号を受信装置１０２でモニタする。そして、規定圧力となるようにパソコン等から書き込み用ケーブル２１ｃを介して調整部６３による調整量を変化させ、規定圧力が出力された時の調整量を記憶装置６３ｂに書き込む。
【００３３】
この作業を複数の圧力で行うことにより、調整部６３ｂはこれらのデータを線形に補間した出力特性を作成して記憶装置６３ｂに格納する。なお、水位センサ１０１を水位１０ｍスパンのタイプとして調整する場合、規定圧力としては、例えば大気圧（圧力０）と水位１０ｍに相当する圧力の２つの圧力について検証作業を行う。また、読み出し用ケーブル２１ｄからは、書き込み用ケーブル２１ｃから書き込まれた内容や調整後のデジタル信号等が入力端子３４へ出力される。従って、書き込み用ケーブル２１ｃから書き込んだ内容やその結果等をパソコン等で確認することが可能である。
【００３４】
ところで、センサ素子（半導体圧力センサ素子）４４に形成されたピエゾ抵抗は、温度変化によって抵抗率が大きく変化するため、水位センサ１０１が温度変化する使用環境下で用いられる場合は温度補償する必要がある。この温度補償を行うための構成について説明する。図３に示すように、電圧源ＶＣＣとブリッジ回路４８との間には、温度依存性がセンサ素子４４に比べてほぼ無視できる電気抵抗４９が設けられている。すなわち、センサ素子４４の周囲の温度によってピエゾ抵抗の電気抵抗率が変化する場合であっても、電気抵抗４９の電気抵抗率は変化しない。
【００３５】
この電気抵抗４９とブリッジ回路４８との間の点Ｒは、配線５２を介してマイコン基板１６に設けられたＡ／Ｄ変換部６２に接続されている。従って、点Ｒの電圧値（アナログ信号）はＡ／Ｄ変換部６２によってデジタル信号に変換されて調整部６３に入力される。なお、配線５２は、具体的には図２に示すようなボンディングワイヤー及びリードピン、アンプ基板１５を介してマイコン基板１６に接続されている。なお、Ａ／Ｄ変換部６２の前にアナログ信号を増幅するためのアンプが別途設けられてもよい。
【００３６】
調整部６３の記憶装置６３ｂには、温度補償のための補償データが格納されており、制御装置６３ａは、Ａ／Ｄ変換部６２から送られた信号（温度変化に対応したデジタル信号）に基づいて、記憶装置６３ｂの補償データから補償する内容を確定する。そして、制御装置６３ａは、Ａ／Ｄ変換部６１から入力された信号を所定の出力特性に調整する際、この出力特性を補償内容に基づいて補正したうえで調整する。これにより、水位センサ１０１から出力される信号（電流変換回路６５から出力されるアナログ信号）は温度補償された状態となる。なお、補償データは、予め実験等により計測されて記憶装置６３ｂに記憶されている。ただし、以上のような温度補償を行うか否かは任意である。
【００３７】
図４は、記憶装置６３ｂに記憶されている出力特性の一例を示すグラフ図である。図４において、横軸は水位（単位ｍ）を示しており、縦軸は電流変換回路６５から出力される電流値（単位ｍＡ）を示している。  
【００３８】
図４の実線で示すように、水位が０ｍ（大気圧）の場合には４ｍＡの電流が出力され、水位が１０ｍの場合には最大の２０ｍＡの電流値が出力される。すなわち、この水位センサ１０１は、測定範囲が水位０ｍ〜１０ｍとして用いられる。また、水位が０ｍから１０ｍの間においては、水位の増加に伴って一定の増加率で電流が増加していく。つまり、単位圧力（単位水位）あたりの出力値が一定値（１．６ｍＡ／ｍ）である。このような水位０ｍでの電流値（圧力０値）や単位圧力あたりの電流値（スパン）が出力特性として記憶装置６３ｂに記憶されている。
【００３９】
一方、水位センサ１０１内の感圧部１４は、各構成部材が時間の経過によって変質することにより、この水位センサ１０１から出力される電流値が変化する場合がある。例えば、図４の破線（１）で示すように圧力０値が４ｍＡに対してオフセットした場合や、破線（２）で示すようにスパンが所定値（１．６ｍＡ／ｍ）に対して変化した場合などがある。
【００４０】
破線（１）は、圧力０値が４ｍＡに対して大きくなる方向にオフセットした場合であり、スパンに変化はない。なお、オフセットは、４ｍＡに対してプラス方向だけでなく、４ｍＡに対してマイナス方向にも生じることもある。破線（２）は、スパンが初期の値より小さくなった場合であり、圧力０値に変化はない。なお、スパン変化は、初期の値より小さくなるだけでなく、大きくなる場合もある。破線（３）は、圧力０値がオフセットし、さらにスパンが変化した場合もある。このように、オフセットが生じた場合やスパンが変化した場合には、その電流値から正確な水位が計測できないため、出力特性を調整する必要がある。
【００４１】
出力特性の調整は、外部のパソコン等から書き込み用ケーブル２１ｃを介して調整部６３の記憶装置６３ｂに予め記憶されている出力特性に関するデータを補正することにより行う。オフセットを補正する場合には、センサ本体１０を水中から取り出して大気中に配置し、圧力０の状態でセンサ本体１０から出力される電流値をモニタして、その値が当初の４ｍＡからずれているときはそのオフセット量をキャンセルするように補正してその補正データを記憶装置６３ｂに書き込む。なお、補正データは、読み出し用ケーブル２１ｄから出力されるデジタル信号により確認できる。また、電流値をモニタすることに代えて、読み出し用ケーブル２１ｄから出力されるデジタル信号をモニタしてもよい。
【００４２】
また、スパンを補正する場合、水中から取り出したセンサ本体１０を、例えば測定範囲の最大値である圧力（水位１０ｍに相当する圧力）に設定した圧力室内に配置し、その状態でセンサ本体１０から出力される電流値をモニタして、その値が当初の２０ｍＡからからずれているときは２０ｍＡとなるように補正してその補正データを記憶装置６３ｂに書き込む。この２０ｍＡの補正データに基づいて、水位０〜１０ｍに対応して電流値４ｍＡ〜２０ｍＡがそれぞれ出力されるように出力特性が補正される。なお、スパンに関する補正データも、上記と同様に、読み出し用ケーブル２１ｄから出力されるデジタル信号により確認できる。また、電流値をモニタすることに代えて、読み出し用ケーブル２１ｄから出力されるデジタル信号をモニタしてもよい点も同様である。
【００４３】
このように出力特性が変更されることにより、水位センサ１０１として再使用が可能となる。また、このような調整作業をセンサ本体１０を分解することなく行うことができるので、作業者にとって容易かつ短時間で行うことができる。また、センサ本体１０を分解して再度組み立てるといった作業がなく、再組立て時のシール不足による水漏れ等を回避することができる
【００４４】
また、水位の変化に伴う圧力の変化はリニアであるため、センサ本体１０から出力される電流値もリニアに変化するような出力特性を必要としている。しかしながら、センサ素子４４を含めた感圧部１４の特性から、中間部分での変化がリニアではない（スパンが一定値とはならない）場合が生じている。従って、圧力０で４ｍＡを出力し、かつ水位１０ｍで２０ｍＡを出力する場合であっても、中間の水位で電流値が初期の出力特性からずれた状態となり、大きな誤差を含んでしまうため、補正する必要がある。
【００４５】
図５は、センサ本体１０から出力される電流値と水位との関係を示すグラフ図である。図４と同様に、図５において、横軸は水位（単位ｍ）を示しており、縦軸は電流値を示している。
【００４６】
図５の実線で示すように、直線性を持った所望の出力特性に対して、破線で示すように、出力される電流値が低くなり、下方に凸となった曲線となっている。例えば、水位５ｍでは１２ｍＡを出力すべきところ、これより低いαとなり、このαの値では水位５ｍより小さい値と計測されるため誤差が大きくなる。従って、このような非直線性の補正は、外部のパソコン等から書き込み用ケーブル２１ｃを介して調整部６３の記憶装置６３ｂに直線性補正データを書き込むことにより行う。制御装置６３ａは、この直線性補正データに基づいて出力特性を補正し、適正な電流値が出力されるようにしている。
【００４７】
直線性の補正データは、センサ本体１０を圧力室内で複数の圧力（例えば２ｍや５ｍなど）に変化させ、それぞれの圧力において出力された電流値から所定の曲線を算出し、その曲線を、直線性を持った出力特性まで補正するためのデータとして記憶装置６３ｂに格納される。なお、水位センサ１０１を長期に使用した後、圧力０値やスパンがずれるとともに出力特性の直線性が損なわれる場合がある。この場合は、オフセット等の調整とともに直線性の補正データも変更する。
【００４８】
上記した実施形態では、水位センサ１０１として計測範囲を水位０ｍ〜１０ｍのセンサとして用いているが、この計測範囲を変更することが可能である。
図６は、センサ本体１０の計測範囲を変更した一例を示すグラフ図である。図６において、横軸は水位（単位ｍ）を示しており、縦軸は電流値（単位ｍＡ）を示している。図６の点線は、計測範囲が０ｍ〜１０ｍの出力特性に示している。この出力特性に対して、スパンを変更することにより計測範囲を変更することができる。
【００４９】
図６の実線（Ａ）は、水位センサ１０１の計測範囲を０ｍ〜１０ｍから０ｍ〜８ｍと計測範囲を縮めるように変更している。この変更は、例えば、センサ本体１０を水位８ｍに相当する圧力内に配置させ、この圧力で２０ｍＡが出力されるように出力特性のスパンを調整することにより行う。この調整された出力特性は、書き込み用ケーブル２１ｃを介して調整部６３の記憶装置６３ｂに格納される。従って、制御装置６２ａは、調整された出力特性によって計測範囲を０ｍ〜８ｍとした状態で所定の電流値を出力する。
【００５０】
また、図６の実線（Ｂ）では、水位センサ１０１の計測範囲を０ｍ〜１０ｍから０ｍ〜１６ｍと計測範囲を拡げるように変更している。なお変更の作業等は実線（Ａ）の場合と同様である。このように、出力特性を調整するだけで計測範囲を容易に変更することができ、計測範囲が異なる複数タイプの水位センサを用意する必要がない。なお、計測範囲が０ｍ〜１０ｍを基準とする水位センサ１０１においては、その計測範囲を５０％〜２００％の範囲で調整可能である。すなわち、最大計測水位５ｍの水位センサから、最大計測水位２０ｍの範囲で任意に調整することができる。
【００５１】
なお、上記した水位センサ１０１では、センサ本体１０からの出力信号として電流値等のアナログ信号を用い、受信装置１０２（図１参照）で処理しているが、これに限定されず、センサ本体１０から出力されるデジタル信号を用いることも可能である。図３では、調整部６３から出力されたデジタル信号をＤ／Ａ変換部６４でアナログ信号に変換した後に、このアナログ信号を電流変換回路６５で電流値に変換して出力しているが、調整部６３からのデジタル信号を送受信回路６７を介して読み出し用ケーブル２１ｄから出力させ、このデジタル信号を用いてもよい。出力されたデジタル信号は、受信装置１０２に入力されて、水位等を表示させるために所定の処理が行われる。このように調整部６３からのデジタル信号を用いる場合、図３においてＤ／Ａ変換部６４及び電流変換回路６５は不要となる。
【００５２】
なお、デジタル信号の送受信には、例えば、通信規格としてＲＳ−２３２Ｃ、ＲＳ−４８５等のシリアル通信が用いられる。水位センサ１０１と受信装置１０２との間が比較的長い場合はＲＳ−４８５が用いられる。また、図３に示す送受信回路６７において、上記したシリアル通信を行う機能を備えるか否かは任意である。送受信回路６７とは別に入出力回路等を設けてＲＳ−２３２Ｃ等のシリアル通信を行うようにしてもよい。
【００５３】
以上、実施形態について説明したが、図示の形状等に限定するものではなく、各構成部材の機能や用途などを逸脱しない範囲で形状等の変更は可能である。例えば、圧力センサ部として半導体圧力センサ素子４４を用いたが、これに代えてブリッジ回路を有するひずみゲージ等を用いてもよい。また、送受信回路６７と外部のパソコン等との間の接続に有線の書き込み用ケーブル２１ｃや読み出し用ケーブル２１ｄを用いているが、これに限定されず、例えば書き込み用ケーブル２１ｃや読み出し用ケーブル２１ｄの途中から無線通信等を用いてパソコン等と接続してもよい。また、書き込み用ケーブル２１ｃや読み出し用ケーブル２１ｄは、常時地上へ引き出されてパソコン等と接続させる必要はなく、水中内へ放置してもよい。この場合、書き込みケーブル２１ｃ等を短く切断してもよい。
【符号の説明】
【００５４】
１０…センサ本体
１４…感圧部
１５…アンプ基板
１６…マイコン基板
２０…ケーブル
２１…配線
２１ａ…電源用ケーブル
２１ｂ…出力用ケーブル
２１ｃ…書き込み用ケーブル
２１ｄ…読み取り用ケーブル
２２…ケーブルカバー
４４…半導体圧力センサ素子（圧力センサ部）
４８…ブリッジ回路
４９…電気抵抗
５１…アンプ
５２…配線
６１，６２…Ａ／Ｄ変換部
６３…調整部
６３ａ…制御装置
６３ｂ…記憶装置
６４…Ｄ／Ａ変換部
６５…電流変換回路
６６…電源回路
６７…送受信回路
１００…水位検出システム
１０１…水位センサ
１０２…表示装置
【図１】
2014077646.tif 000003
【図２】
2014077646.tif 000004
【図３】
2014077646.tif 000005
【図４】
2014077646.tif 000006
【図５】
2014077646.tif 000007
【図６】
2014077646.tif 000008